(57)【特許請求の範囲】
【請求項１】
所定の温度以上で表示される経過表示を制御可能な時間経過表示タイマーにおいて、
システムを物品に付着する両面テープのような接着部を上下面に有し、単一シート下部で構成された基部、
前記基部の上に隣接して配置され、単一シートで構成され、上面に所定の色や図案を有する背景フィルム、
前記背景フィルム上に隣接して配置され、単一シートで構成された微細多孔性フィルム、前記基部、前記背景フィルム及び前記微細多孔性フィルムで構成される複数の単一シートを結合してそれらの上面に同一な大きさの複数の区画部位を形成した区画部、
前記区画部の一側面またはそれ以上の側面や上に描かれる図形や図案の展開時点で形成した開口で構成される印刷層と、
前記区画部の前記印刷層上に個別的に配置される複数の展開物質と複数の展開物質を保護するように外部温度と直接接触を遮断する空気層を持つ成形部を形成して成形部を除外した部分を各システムの境界部にした単一シートからなる透明フィルムが上部に備えられることを特徴とする時間経過表示タイマー。
【請求項２】
前記展開物質は複数に区画される前記背景フィルム上に配置され、前記微細多孔性フィルムの上部面に複数に区画された区画部と開口部とを有する印刷層が配置されることを特徴とする請求項１に記載の時間経過表示タイマー。
【請求項３】
所定の温度以上で表示される経過表示を制御可能な時間経過表示タイマーを製造する方法であって、
基部、所定の色や図案を有する背景フィルム、微細多孔性フィルムを下部から順次に積層し、
前記積層したフィルムの上部を区画して複数の区画部を形成し、
前記複数の区画部のそれぞれに図形または図案を有する印刷層と展開物質とを順番に積層し、
前記複数の区画部のそれぞれの内部に空気層を有する成形部と前記成形部の間に境界部を形成した単一シートの透明フィルムになる上部を形成し、
前記上部の境界部及び前記接触部、とこの接触部に一致して前記基部、下部フィルム、前記背景フィルム及び前記微細多孔性フィルムの周縁部とを一致して熱圧着することで結合し、
前記各区画部を前記境界部で切断し、時間経過表示タイマーを大量生産できることを特徴とする時間経過表示タイマーの製造方法。
【発明の詳細な説明】
【技術分野】
【０００１】
本発明は所定の温度以上で表示される経過時間表示装置に関するものであり、特に所定の温度以上で時間の経過を表示するように制御可能な時間経過表示タイマー及びその製造方法に関するものである。
【背景技術】
【０００２】
従来技術の中で代表的なものとして、日本特許公開公報第２００３−０８８３１８号には、即席カップ食品の調理時間を表示するシートが開示されている。このシートは、即席カップ食品に、熱湯をカップに注いだ後即席食品が食事可能になるまでに所要される時間を分かりやすく、また、楽しめる簡単な表示体で提供される。このため、熱伝導率が０．１ｋｃａｌ／ｍｈ以下の表面及び裏面上において温度の変化を伝達するのに所要される時間が、即席食品に熱湯を注入した後食事が可能な状態になるまでの時間と、ほぼ同一となるようにした厚さを有する断熱性シート片１は、インキ層で食事可能な状態を表示する表示部を設けると同時に、常温では表示を隠蔽したり偽装して高い温度では透明化されるインキ層２と３を設けており、その表面を即席カップ食品容器に粘着することが可能なものである。
【０００３】
断熱性シート面の厚さは１−５ｍｍであり、発泡倍率は１０−５０倍の独立気泡発泡プラスチックシートであり、その裏面に接着性圧着財５と保護シートが設けられる。
【０００４】
このように構成される即席食品の食事が可能な状況であることを表示するシートは、シート片１が熱に感応する材質からなり、常温では普通のインキ層が一定の表示を隠し高い温度では透明化するインキ層により食事が可能な状況であることを表示するという即席食品の食用可能な状態のみを単純に表示するもので、シート片１が熱伝達する過程は表示されない。
【０００５】
そこで、このような即席食品に適用されるシートにおいて、時間経過の過程が表示されて、応用範囲を拡大することが望まれている。
【先行技術文献】
【特許文献】
【０００６】
【特許文献１】特開第２００３−８８３１８号
【発明の概要】
【発明が解決しようとする課題】
【０００７】
そこで、本発明は所定の温度以上で表示される時間経過表示を制御可能にして、多様な用途で使用することが可能な時間経過表示タイマー及びその製造方法を提供することを主目的にする。
【０００８】
本発明の別の目的は、所定の温度以上で反応する展開物質が所定の移動通路に誘導されるようにして、時間の経過による経過表示をすることを制御可能な期間経過表示及びその製造方法を提供することを別の目的とする。
【課題を解決するための手段】
【０００９】
本発明の所定の温度以上で表示される経過表示を制御可能とする時間経過表示タイマーは、必要により、システムを物品に付着する両面テープなどの接着部を上下面に有する単一シートの下部で構成された基部、基部上に隣接して設置され、単一シートで構成され、上面に背景になる所定の色または図案を有する背景フィルム、背景フィルム上に隣接して配置され、単一シートで構成される微細多孔性フィルム、基部、背景フィルム及び微細多孔性フィルムで構成される複数の単一シートを結合してそれらの上面に同一な大きさの複数の区画部位を形成する区画部、区画部の一側面またはそれ以上の側面や上に、描かれる図形や図案の展開時に開口を形成した複数の印刷層、各区画部ごとに印刷層上に個別的に配置される複数の展開物質と複数の展開物質を保護するように外部と接触を遮断する空気層を有する成形部を形成して成形部を除外した部分を各システムの境界部にした単一シートからなる透明フィルムが上部に備えられる。
【００１０】
展開物質は、複数に区画される背景フィルム上に配置され、微細多孔性フィルムの下部面に複数に区画された区画部と開口部とを有する印刷層が配置されてもよい。
【００１１】
このような時間経過表示タイマーの製造方法は、基部、赤色などで構成される背景フィルム、微細多孔性フィルムを下部から順番に積層して準備して、これらのシートの上部を区画して複数の区画部を形成し、各区画部ごとにその上に図形や図案を有する印刷層と展開物質とを順番に積層し、各区画部の内部に備えられた空気層を覆う成形部成形部の間に境界部を形成した単一シートで構成された透明フィルムでなる上部を形成し、この上部の境界部及び接着部、接着部に一致して基部、下部フィルム、背景フィルム及び微細多孔性フィルムの周縁部に一致して熱圧着することで結合し、各区画部を境界部で切断し、時間経過表示タイマーを大量生産することを含む。
【発明の効果】
【００１２】
本発明は所定の温度以上で表示される時間経過表示を制御可能とするために、背景フィルム上に多様な図案を描いた印刷層を形成するので、即席食品、カップ食品などに容易に調理時間が経過して食事可能になった後に所定の図案を表示することが可能になる。さらには、所定の図案を表示させる過程をゲームなどに活用することもできる。
【図面の簡単な説明】
【００１３】
本発明を添付図面に根拠して詳細に技術すれば次のようである。
（図１）図１は本発明による時間経過表示タイマーの断面図である。
（図２）図２の（ａ）、（ｂ）、（ｃ）、（ｄ）と（ｅ）は本発明による時間経過表示タイマーの作動を印刷層に形成された一実施例の図案である、砂時計と文字「
0005873556.tif 000002
」に適用して表した時間経過順次表示図面である。
（図３）図３の（ａ）、（ｂ）、（ｃ）、（ｄ）、（ｅ）と（ｆ）は本発明による時間経過表示タイマーの作動を印刷層で一側に偏重され、違う大きさの複数の円が外部に拡張される状態を表して、内部の円の中心に砂時計になる違う実例の図案を適用して表した時間経過順次表示の図面である。
（図４）図４の（ａ）、（ｂ）、（ｃ）、（ｄ）と（ｅ）は本発明による時間経過表示タイマーの作動を印刷層に複数の同心円を形成した他の実施例の図案を適用して表した時間経過順次表示図面である。
（図５）図５の（ａ）、（ｂ）、（ｃ）と（ｄ）は本発明の原理による時間経過順次表示タイマーの作動を印刷層に複数の区画表示部と複数の図案、例えばじゃんけんでグー、パーとチョキ、ここではグーに適用して時間経過順次表示を表した図面である。
【発明を実施するための形態】
【００１４】
図１に図示されたように、本発明による時間経過表示タイマー１０は単一体で構成されて大量生産が可能である。時間経過表示タイマー１０は、単一シートで準備される基部２０上に隣接して配置される背景フィルム３０とこの背景フィルム３０の上部に配置される微細多孔性フィルム４０とを含み、順に積層される。
【００１５】
基部２０は両面テープなどのような接着剤が付着されたシステム固定手段を有してもよく、銀紙のような材質で構成されてもよい。
【００１６】
基部２０の上に配置される背景フィルム３０には、所定の表示背景色例えば赤色の染料が塗られたり、グーのような図案が描かれてもよい。
【００１７】
微細多孔性フィルム４０は展開物質６０を含有すれば透明になる特性を有する商業的に購買可能なＰＰまたはＰＥ材質の硬性樹脂微細多孔性フィルムなどの単一シートで構成される。
【００１８】
基部２０、背景フィルム３０、微細多孔性フィルム４０は順次に積層されて、その上部においては、所定の面積すなわちシステムの大きさで複数に区画され、切断線（図示せず）や圧印線４１が形成される。この圧印線４１の内部に、この後説明される最外角の透明フィルム７０の下部に接着部７２を有する区画線４２が形成される。ここで圧印線４１と区画線４２を有する領域は境界部４４で形成される。
【００１９】
印刷層５０は区画線４２の内部に配置され、周りの縁には区画線４２と印刷層５０との間は分離され、この後説明されるように所定の形状の開口４３が形成される。この開口４３は、この後説明されるような形状になって展開物質６０の移動通路として機能する。
【００２０】
展開物質６０は印刷層５０の上に所定の大きさで配置され、飽和脂肪酸またはパラフィンなどが使用される。展開物質６０の熔融温度は、このシステムが適用される物品や使用目的によって選択してもよい。例えば、即席ラーメンに適用される際に、展開物質６０には熔融温度が約５９℃であるミリスチン酸という飽和脂肪酸物質が使用されてもよい。
【００２１】
最後に透明フィルム７０は、順次に積層された印刷層５０と展開物質６０を収納してその周りに一定空間を形成して外気温度の伝達を遮断するようにする空気層７３を覆う成形部７１と境界部４４上に固定される接着部７２とで構成される。
【００２２】
このように構成される時間経過表示タイマー１０においては、図２に図示したように、印刷層５０には、砂時計５１や文字「
0005873556.tif 000003
」５２の図案が形成されてもよい。
【００２３】
砂時計５１を構成する小さい円の画素は、展開物質が３分に約１ｍｍ拡散される場合、円の縁から両方向に拡散されるので、直径が２ｍｍになったときに３分の時間表示が可能になり、文字「
0005873556.tif 000004
」５２の縁どりの幅もまた２ｍｍである。このように砂時計５１の各画素の円の直径を決定することは展開物質６０の拡散速度に関する一実施例にすぎない。
【００２４】
従って、時間経過表示タイマー１０は、即席ラーメンのカップに付着されて熱湯の影響の下にあるときには、展開物質６０が熔融されて、開口４３を通じて微細多孔性フィルム４０に移動し拡散される。この時砂時計５１の画素の直径と文字５２の幅が徐々に背景フィルム３０の背景色である赤色になり、３分後にカップラーメンが食事可能な状態になったことを表すようになる。
【００２５】
図３の（ａ）に図示したように、印刷層５０は、その中心に砂時計５１と第１円形６１が配置され、第１円形６１の下部に隣接し一定の幅をもって離隔する透明な第２円形６２が形成され、その上部が第１円形６１の上部と１ｍｍ程度の間隙を有するようにしている。ここで、第１円形６１と第２円形６２の間は不透明である。
【００２６】
このような印刷層５０を具備した時間経過表示タイマー１０には、図３の（ｂ）に示したように、第１円形６１の下部に開口４３が形成され、展開物質６０が第２円形６２の下部から拡散されて上部に移動される状態になるが、図３の（ｂ）では３６秒、図３の（ｃ）では７２秒、図３の（ｄ）では１０８秒、図３の（ｅ）では１４４秒、図３の（ｆ）では１８０秒（３分）の時間経過を表示するようになる。
【００２７】
図４に図示したように、白色の微細多孔性フィルム上の印刷層５０には、それぞれ異なる幅を有する複数の円が展開物質が透過されない透明なインクで印刷される。つまり、展開物質が３分で１ｍｍ拡散されることを仮定して、一番内側の第１円５４の幅は０．６７ｍｍ、次の外側の第２円５５の幅は１．３２ｍｍ、一番外側の第３円５６の幅は２．０ｍｍになるように透明印刷して配列する。つまり、図４の（ｂ）に図示したように、温水を入れれば透明印刷されていない白色の微細多孔性フィルムはすぐ透明になり下部の赤色が表示され、透明印刷されたそれぞれ異なる幅の同心円は白色の複数の同心円が表示されるようになる。
【００２８】
この１分経過後、図４の（ｃ）のような拡散によって、一番内側の０．６７ｍｍの幅の第１円５４は、展開物質によって白色から透明になり、下部の赤色が表示されるようになり、続いて２分経過後、図４の（ｄ）のように拡散表示されて、二つ目の１．３２ｍｍの同心円の第２円５５も同じように透明になって消え、３分経過後、図４の（ｅ）ように最後に２．０ｍｍの第３円５６も消え、全体が赤色になることで終了を表示する。
【００２９】
これ以外にも図５に図示したように、印刷層５０には、複数の展開物質６０の拡散のための移動通路（図５のｂ参照）を形成して、白色の微細多孔性フィルムにおいて、横、縦それぞれ２ｍｍの大きさの正方形が所定の間隙で配列して格子形態を形成し、印刷層において、グー、パー、チョキの図案を隠すようにすることで、温水を入れて１分経過後に図５の（ｂ）、２分経過後に図５の（ｃ）、３分経過後に図５の（ｄ）のように背景フィルムの図案が徐々に見えるようにして、ゲームができるようにしてもよい。必要によっては正方形の格子の大きさを調節して、時間経過表示を早くまたは遅く設定してもよい。
【００３０】
以上で説明したように、背景フィルムを所定の色にして図案を表示させることになるが、時間経過表示タイマー１０は、図案により展開物質の移動通路を様々に変化させることができ、また、複数の開口を形成して展開物質の始点として機能させることもできる。
【図１】
0005873556.tif 000005
【図２】
0005873556.tif 000006
【図３】
0005873556.tif 000007
【図４】
0005873556.tif 000008
【図５】
0005873556.tif 000009